(57)【要約】  【課題】様々な高さのヒールに適用可能とするために、靴の組み立て部材における踵方向の部分を、つま先端部に対して曲げることができるようにする。  【解決手段】伸縮性材料から一体に形成された内層を備え、前記内層が、可撓性を有するトップラインと、前記材料を支えるための踵補強材１１５およびつま先補強材１２０を備え、踵補強材１１５およびつま先補強材１２０が、組み立て部材の踵部とつま先部との間の相対角変動を可能とするために前記材料のヒンジ部により離間され、前記材料が前記相対角変動に適合するよう伸縮する。【選択図】図１３
2006122718.tif 000002
【特許請求の範囲】
【請求項１】
伸縮性材料から一体に形成された内層を備え、
前記内層が、可撓性を有するトップラインと、前記材料を支えるための踵補強材およびつま先補強材を備え、
前記踵補強材およびつま先補強材が、組み立て部材の踵部とつま先部との間の相対角変動を可能とするために前記材料のヒンジ部により離間され、
前記材料が前記相対角変動に適合するよう伸縮することを特徴とする、靴用の組み立て部材。
【発明の詳細な説明】
【技術分野】
【０００１】
本発明は、靴および靴の組み立て部材(sub-assembly)に関する。
【背景技術】
【０００２】
本明細書において、「靴」という用語は、ブーツ（これに限定されない）を含む履物に関するあらゆる形状を表すために用いられる。
【０００３】
従来、靴は、特に婦人用靴は、所望の靴形状に形づくられた靴型上に形成され、一般に、甲(upper)、基部（base）、および踵(heel)を含む。本明細書において、「基部」とは、靴において着用者の足の下に位置する、踵以外の部分を表すために用いられる。従って、基部は、複数の部材から構成され得る。通常、基部は、インソール（中底）と、このインソールの下に位置して歩行時に地面に接するソール（底）とを含む。基部がインソールとソールとを含む場合、靴の甲の一部を、インソールとソールとの間に挟めば、甲と基部を接続できる。一般に、甲と基部は一緒に形成され、それから踵が加えられる。踵と基部とは、釘を用いて（多くの場合、接着剤も共に用いて）接続される。踵の高さを変更する場合は、新しい踵に適応した基部と甲を作るために、新しい靴型が必要となる。
【０００４】
これとは異なる靴の構造として、様々な提案がなされている。例えば、ＧＢ−Ａ−８７７０７６には、甲と、基部の一部とを一つの部材に型取り成形し、踵と土踏まずを第２の部材として型取り成形したものが開示されている。甲／基部の部材には孔が設けられ、この孔に踵をはめ込み、土踏まずを基部に載せて糊付けする。
【発明の開示】
【課題を解決するための手段】
【０００５】
本発明の第１の態様によれば、靴を形成する組み立て部材であって、靴の基部に組み込まれ複数の構造をとり得る可撓性部材と、足を支える構造に前記可撓性部材を形づくると共に踵を可撓性部材に接続するために前記可撓性部材に構造的に組み込まれる支持部材を有する踵とを備えた組み立て部材が提供される。
【０００６】
本発明の第２の態様によれば、本発明の第１の態様による組み立て部材と、前記組み立て部材により支えられる甲とを有する靴が提供される。
【０００７】
本発明の第３の態様によれば、比較的可撓性のある部分とこの可撓性のある部分により足を支える構造を形づくる支持部材とを有する基部と、踵とを備えた靴が提供される。前記支持部材は、踵を基部に接続するために踵に接続され、踵と支持部材とは前記の可撓性のある部分から取り外しが可能である。
【０００８】
本発明の第４の態様によれば、可撓性のある基部を作成し、支持部材に接続された踵を作成し、支持部材を可撓性のある基部に組み込むことにより、支持部材が可撓性のある基部により足を支える構造を形づくる工程を含む靴の製造方法が提供される。
【発明を実施するための最良の形態】
【０００９】
以下に、本発明のいくつかの実施形態について、詳細に説明する。例として、添付した図面が参照される。
【００１０】
まず、図１に示すように、靴に組み込まれる組み込み部材は、可撓性部材（一般に１０として示す）と踵１１から構成される。可撓性部材１０は、概ね平坦な下部壁１２を備えている。下部壁１２は、上方および外側へ向かって延在するよう形づくられた側壁１３に囲まれている。図１から分かるように、下部壁１２は、つま先端部１４と踵端部１５とを有し、靴底の外形を形づくる。下部壁１２の踵端部１５方向の端部には、引き延ばされたＤ字型の開口１６が、その直線端１７をつま先端部１４方向へ向けて、設けられている。細長い長方形の溝１８が、直先端１７から始まり、つま先端部１４へ向けて、下部壁１２に延設されている。
【００１１】
可撓性部材１０は、適宜の材料で形成できるが、例えばポリウレタン材料等の可撓性のあるプラスチック材料で形成されることが好ましい。踵１１とは離して示したように、可撓性部材１０は、複数の異なる構成をとり得るものである。可撓性部材自体は、足を支えるものではない。
【００１２】
踵１１は、木やプラスチック等の適宜の材料で一体に形成され、ぶら下がった楔形の接地部１９を有する。接地部１９の上には、細長い支持部２０が載置されている。概ね平らな細長いフランジ２１と、支持部２０の上面との間は、ウェブ(web)２２によって間隔が設けられている。
【００１３】
踵１１は、ウェブ２２がスロット１８に挿入可能なように、かつ、ウェブ２２の端部がスロット１８の閉じた端部に到達したときにフランジ２１が開口１６に位置してその開口を埋めるように、形づくられている。下部壁１２における開口１６を囲む部分は、支持部２０の上側表面に載る。
【００１４】
このように、これらの部材を構造的に組み合わせることにより、足を支えるための十分な固さを可撓性部材１０に持たせることができる。可撓性部材１０の材料が可撓性を持つので、下部壁１２における踵端部１５方向の部分に、下部壁１２の踵側方向の部分に対して、踵１１に適応するように角度（曲げ）を持たせることができる。このようにして、可撓性部材１０は、足を支える構造に形づくられる。
【００１５】
図１に示したように、可撓性部材１０に、踵１１を可撓性部材１０に対して取り外し可能に係止するための留め具２３を設けても良い。この留め具を外せば、踵１１を可撓性部材１０から取り外すことができる。これにより、後により詳しく説明するが、靴を異なったスタイルにするために、踵を、異なる高さの他の踵（図示せず）に交換することができる。
【００１６】
可撓性部材１０を、図２（ａ）、図２（ｂ）、図２（ｃ）により詳細に示す。これらに示すように、側壁１３において、上方へ延びる突起部２４を踵側端部に設け、２つの側面突起部２５を甲に設け、つま先突起部２６をつま先端部１４に設けた構成としても良い。これらは、可撓性部材１０を甲に接続するために用いられ得る。甲の構成の一例を、図６（ａ）および図６（ｂ）を参照しながら後に説明する。
【００１７】
図３（ａ）は、概略的に示された甲２７を備えた、図１の可撓性部材１０を示す。図３（ｂ）は、図１の踵１１を示す。図３（ｃ）は、可撓性部材１０と甲２７に接続された踵１１を示す。
【００１８】
図４（ａ）も、図１および図２（ａ）の可撓性部材１０を示す。しかし、この例では、図４（ｂ）に示す踵１１の接地部２８は、図３（ｂ）の踵１１において対応する部分（接地部１９）よりも高い。従って、図４（ｃ）に示すように、この踵１１を可撓性部材１０および甲２７に接続すると、製造される靴のスタイルは異なるものとなる。
【００１９】
次に、図５（ａ）、図５（ｂ）、図５（ｃ）においても、可撓性部材１０および甲２７は、図３（ａ）および図４（ａ）に示すとおりである。しかし、図５（ｂ）に示す踵１１の接地部２９は、図３（ｂ）および図４（ｂ）に示す接地部１９，２８よりも高い。従って、図５（ｃ）に示すように、図５（ｂ）の踵１１を可撓性部材１０に組み合わせた場合、さらに異なるスタイルの靴が製造される。
【００２０】
従って、図３（ａ）、図３（ｂ）、図３（ｃ）、図４（ａ）、図４（ｂ）、図４（ｃ）、図５（ａ）、図５（ｂ）、図５（ｃ）を参照して説明した上述の全ての実施形態において、履き心地が良い可撓性部材１０は、踵１１と組み合わされた際に、足を支えるために十分な固さになるだけである。踵１１は、長さ方向および横方向の両方にサポートを与えることにより、靴を着用可能とし、かつ足を支えるようにする。
【００２１】
可撓性部材１０の下部壁１２は、完成された靴において、地面に接するソールとなり得る。あるいは、下部壁１２の下面に別のソールを追加しても良い。どちらの場合においても、下部壁１２の上にインソールを設けることができる。
【００２２】
ここで、図６（ａ）に、つま先部３１と２つの側面部３２とを有する甲３０を示す。甲３０は、適宜の材料で作成できるが、例えばプラスチック材料、皮革材料、織地材料、編地材料、あるいは、これらの材料の組み合わせ材料で作成することもできる。甲３０は、つま先の周りに、ポリウレタンコーティングによって補強され硬化された領域３３を有する。同様の領域３４が、側面部３２における接続されていない両端部に設けられる。
【００２３】
次に、図６（ｂ）に示すように、この甲３０は、図１〜図５を参照して先に説明したような可撓性部材１０に、突起部２４，２５，２６を用いて接続される。このとき、側面部３２の端部の補強された２つの領域３４を、靴の踵端部を形成するように包み込む。
【００２４】
図７に示すように、この実施形態の可撓性部材４０は、靴基部のソールに組み込まれるものであり、プラスチック材料により一体に成形されている。可撓性部材４０は、平坦な踵部４１を有する。踵部４１は、ヘッド４３まで至る周辺垂下壁４２に囲まれている。踵部４１の前方エッジ４４からは、細長い脊柱状部材４５が延設されている。脊柱状部材４５には、その長さ方向に間隔をあけて、４つのほぼ下向きの三角形状の支持部材４６が取り付けられている。４つの支持部材４６は、同様の形状であるが、踵部４１から遠くになるほど小さくなるように形成されている。支持部材４６の数は、４つに限られない。図７に示すように、支持部材の各々は、中央部に設けられた孔４７と、側方延長部４８とを有する。側方延長部４８は、脊柱状部材４５の長さ方向の両側に突き出している。中央の孔４７は、互いに位置合わせされている。これにより、脊柱状部材４５における支持部材４６の間にある部分が可撓性のあるヒンジとなり、脊柱状部材４５を曲げることが可能となる。
【００２５】
踵４９は、所望の形状に形づくられた中空のシェル５０により形成される。シェル５０の中には、概ねＬ字型の支持材５１が入っている。支持材５１は、垂直リム５２と、概ね水平な水平リム５３とを有する。垂直リム５２は、シェルの内側の裏面に取り付けられている。水平リム５３は、シェル５０の上端において、シェル５０の長さに沿って突き出している。図７から分かるように、シェル５０の外側に、くぼんだ弓形部５４がある。
【００２６】
靴は、さらに、クリップ５５とＷ字型のばね止め部材５６とを有する。このクリップは、弓状体５７と、この弓状体５７の凹面の内側表面から突き出した一対の直線状のガイド部材５８とを有する。一対のガイド部材５８は、互いに平行に、間隔をあけて設けられている。前記弓状体の両端は、内側に向けられている。前記Ｗ字型のばね止め部材５６の両端には、ラグ５９がそれぞれ設けられている。
【００２７】
図７を参照して上述のように説明した靴は、以下のように組み立てられる。
【００２８】
可撓性部材４０は、踵部４１および支持部材４６の上部表面を介して、靴の可撓性ソール６０に取り付けられる。それから、Ｌ字型支持材５１の水平部５３の端部が、踵に最も近い支持部材４６の孔４７に差し込まれ、さらにその後、踵４９の裏面の弓型部５４が可撓性部材４０における踵部４１の壁４２に結合するまで、次の孔へ順次押し込まれていく。
【００２９】
Ｗ字型のばね止め部材５６は、壁４２に形成された孔６１のそれぞれからラグ５９を突出させることによって、踵部４１および壁４２の下の空洞部に保持される。
【００３０】
踵４９の弓形部５４が壁４２に結合するとき、ラグ５９は、踵の孔のそれぞれにはめ込まれる。これにより、踵４９は、可撓性部材４０にしっかりと固定される。すなわち、踵４９は靴にしっかりと固定される。最後に、クリップ５５のガイド部材５８が、踵４９の弓形部５４のスロット６３のそれぞれに挿入され、支持材５１をはさみ込む。このとき、弓状体５７が踵４９の弓形部５４にはまり込み、弓状体５７の端部がラグ５９を覆う状態となる。
【００３１】
このように、Ｌ字型支持材５１の水平部５３の形状が、可撓性部材４０の曲率を決定することにより、靴のソール６０の後部形状が決定される。踵が、Ｌ字型部材５１の垂直リム５２で負荷を地面に伝えることによって足を支えるのと同じように、支持部材４６が、足に対して横方向のサポートを提供する。可撓性部材４０は製造が容易で安価であり、踵４９はすばやくかつ容易に可撓性部材４０にはめ込むことができる。
【００３２】
クリップ５５を取り外し、ラグ５９を内側へ押し下げ、水平リム５３を支持部材４６の孔４７から引き出すことによって、可撓性部材４０から踵４９を容易に取り外せるようにすることも好ましい。その後、踵４９を、図７に示す踵４９と同じ新しい踵や、高さまたは形が異なる他の新しい踵に交換することができる。
【００３３】
図８に、他の実施形態にかかる可撓性部材６５を示す。この可撓性部材６５は、図７の可撓性部材４０と同じ原理で構成される。図７と図８で共通する部品については、同じ参照符号を付して、その詳細な説明は省略する。
【００３４】
この実施形態では、可撓性部材６５は、インソール６６と一体化して形成される。可撓性部材６５およびインソール６６は、適当なプラスチック材料によって型取り成形されることが好ましい。図８（ｃ）および図８（ｄ）に特に示すように、可撓性部材６５には、脊柱状部材６７と７つの支持部材６８が設けられる。支持部材６８のそれぞれは、断面が概ね三角形状の中央部材６９を有する。中央部材６９には、孔４７と、負荷を支えるために支持部材６８の長さ方向両側に突き出した２つの側方延長部４８とが設けられている。踵部４１と、壁４２と、ヘッド４３とは、図７を参照して説明したものとほぼ同様である。
【００３５】
この実施形態は、図７を参照して上記で説明したような種類の踵４９に適用される。踵４９のＬ型支持材５１の水平リム５３を、支持部材６８の孔４７に押し込むことにより、可撓性部材６５とインソール６６は、靴に組み込まれた状態で足の負荷を支えられるように形づくられる。
【００３６】
完成した靴において、ソールはインソール６６および可撓性部材６５の下に設けられる。この構成は、可撓性部材６５が靴の甲で隠され、甲側から見えるのが下部ソール（図示せず）のみであるので、特に好ましい。下部ソールは、可撓性部材を収容する必要はないので、比較的薄くて良く、いくつかのタイプの靴では、外見的な美しさの点から望ましい。
【００３７】
従って、図面を参照した上述の全ての実施形態において、可撓性のある甲と、取り付け機構を備えた可撓性のある基部部材と、一体化された土踏まずと取り付け機構とを有する堅い踵とが設けられていることが分かる。土踏まず／踵は、可撓性部材の中に位置し、構造的に固定される。しかし、この土踏まず／踵は、スタイルや高さが異なる土踏まず／踵ユニットを、使用者の要望に応じて相互に交換できるように、使用者によって取り外すことができる。
【００３８】
図面を参照した上述の実施形態において、重要な特徴は、靴の上部（甲および基部）の可撓性と、土踏まず／踵部ユニットの堅さである。後者の構成部品は、前者に挿入されて固定され、この構造の土踏まずの構成部品が土踏まず下の空洞部に差し込まれることにより、サポートを与え、可撓性部材を位置に固定することができる。可撓性部材と靴の甲の両方が可撓性を有するので、土踏まず／踵ユニットによって与えられる外形に適合するように変形する。
【００３９】
この構造は、一旦固定すれば安定しており、通常の使用中に外れる可能性はない。使用者は、この構造中のボタンを押して土踏まず／踵ユニットをソール外へスライドさせることにより、土踏まず／踵ユニットを外すことができる。基部および甲が可撓性を有するので、甲にしわが寄ったり使用者に不快感を与えたりすることなく、異なる高さのヒールに適合でき、これにより、高さが異なる複数の踵を相互に交換することが可能となる。
【００４０】
図９に示すように、この図に示す甲の組み立て部材は、概ねＵ字型の伸縮性材料の一片により形成された内層１１０を有する。例えば、伸縮性材料としては、加熱モールドが可能なナイロン織物やライクラ（Lycra：登録商標）材料を用いることができる。しかし、これに限らず、適宜の材料を用いることができる。
【００４１】
内層１１０は、つま革覆い(vamp overlay)１１２により覆われたつま先端部１１１を有する。つま先端部は、例えば皮革で形成しても良く、長い所望の縫い目で内層１１０に縫いつけても良い。
【００４２】
図では、つま革覆い１１２に、装飾用ストラップ１１３および帯１１４を設けたが、これらは必要に応じて、別の態様に変更されても良いし、省略されても良い。概ね三日月状のトゥ−パフ(toe-puff)１１５が、つま革覆い１１２と内層１１０との間に挿入される。トゥ−パフ１１５の外側端部は、つま先端部１１１およびつま革覆い１１２の印象的な弓状の端部に位置合わせして、弓状に形成される。トゥ−パフは、この領域に剛性を与えるものであり、熱活性可能なものでも良い。例えば、トゥ−パフは、熱可塑性の不織注入樹脂材料であっても良い。
【００４３】
次に、図１０に示すように、接続されていない端部１１６を縫製線１１７に沿って縫い合わせることにより、内層１１０を形成し、外側へ向かう縫い目１１８を形成する。
【００４４】
次に、図１１に示すように、カウンタ覆い１２４(counter overlay)が、後部補強材１２０の上に重ねて、好ましくは縫製によって、内層１１０に取り付けられる。カウンタ覆い１２４は、つま革覆い１１２と同じ材料を用いても良い。次に、一片の後部補強材１２０が、踵の周辺部のカウンタ覆い１２４と内層１１０との間に加えられる。図から分かるように、後部補強材１２０は、概ねＵ字型でバックストラップの位置に突出片１２１を有する。突出片１２１は、Ｕ字状のくぼみ１２２により、側面補強材（それらの１つを参照符号１２３で示した）に接続されている。後部補強材１２０は、トゥ−パフと同じ材料で形成しても良い。同時に、内層１１０の外縁の、靴型に合わせるための余裕部分を内側に折り返すことにより、ソール（図示せず）を取り付けるための周辺フランジを形成する。靴のくびれ部分に、つま革覆い１１２およびトウ−パフ１１５と、後部補強材１２０およびカウンタ覆い１２４との間に、領域１２５があることが分かる。図１２および図１３から分かるように、領域１２５がヒンジとなって、組み立て部材における踵方向の部分を、つま先端部１１１に対して曲げることができる。
【００４５】
図１１，１２，１３から分かるように、後部補強材の突出片１２１は、トップ１２６までの途中にしか及んでいない。しかし、後部補強材を覆うカウンタ覆い１２４も、突出片１２７を有しており、この突出片１２７は、後部補強材の突出片１２１を覆い、トップライン１２６まで及んでいる。これらの間に、これらのパーツによってバックストラップが形成され、このバックストラップのトップライン１２６方向の上端は、このバックストラップの下端に対して、甲の長さ方向に平行に曲げることができる。これにより、図１２および図１３から分かるように、つま先に対する踵の角度が小さくなるに従って、バックストラップは、足に適合するために、この方向において外側へ曲がることができる。
【００４６】
ヒンジと動くバックストラップを備えたことにより、図面を用いて上記に説明した甲は、様々な高さのヒールに対して用いることができる。特に、この甲は、図面を参照して前述したような相互交換可能なヒールに用いることができる。ただし、これは必須ではない。
【００４７】
さらに、内層１１０は、甲の組み立て部材に対して、バックストラップにおいて外側へ向かう縫い目１１８を除いては縫い目のない内側表面を形成する。これにより、全ての着用者に対して履き心地の良い甲を提供できる。それでもやはり、トゥ−パフ１１５としての補強材および後部補強材１２０の存在、および、つま革覆い１１２およびカウンタ覆い１２４の存在は、全体が可撓性のある材料から形成された履物と比較して、よりスタイリッシュな甲を有する靴に仕立てる効果を奏する。
【００４８】
図９〜図１３を参照して上記に説明した構成に対して、多数の変更を加えることが可能である。つま先や踵の補強は、必ずしも、１つのトゥ−パフ１１５または後部補強材１２０によってなされなくても良く、複数の別個のパーツによって構成することができる。つま革覆い１１２やカウンタ覆い１２４は、任意要素である。図６を参照して前述したように、トウ−パフ１１５や後部補強材１２０だけでも視覚的に問題がない場合もある。
【図面の簡単な説明】
【００４９】
【図１】図１は、靴に組み込まれる組み立て部材であって、可撓性のある部材と支持部材を有する踵とによって形成されたの概略斜視図である。
【図２】図２（ａ）、図２（ｂ）、図２（ｃ）のそれぞれは、図１の可撓性部材の斜視図、平面図、側面図である。
【図３】図３（ａ）は、図１の可撓性部材を示し、図３（ｂ）は、図１に示したような第１の踵を示し、図３（ｃ）は、図８（ｂ）の第１の踵に接続された図３（ａ）の可撓性部材を示す。
【図４】図４（ａ）、図４（ｂ）、図４（ｃ）のそれぞれは、図１の可撓性部材、図１に示したような第２の踵、図４（ｂ）の第２の踵に接続された図４（ａ）の可撓性部材を示す。
【図５】図５（ａ）、図５（ｂ）、図５（ｃ）のそれぞれは、図１の可撓性部材、図１に示したような第３の踵、図５（ｂ）の第３の踵に接続された図５（ａ）の可撓性部材を示す。
【図６】図６（ａ）は、図１の組み立て部材と共に用いられる、補強された領域を有する甲を平面図に示したものである。図６（ｂ）は、図１に示したような組み立て部材に適用された図６（ａ）の甲を示したものである。
【図７】図７は、ソールと甲に、別個の踵と固定タブとクリップと共に組み込まれた可撓性部材を組み込んだ靴の分解組み立て図である。
【図８】図８（ａ）、図８（ｂ）、図８（ｃ）、図８（ｄ）は、靴の組み立て部材に組み込まれる可撓性部材の平面図、斜視図、側面図、端部側面図である。
【図９】図９は、伸縮性材料により一体に形成された内層を備え、つま革覆いとトゥ−パフを備えた組み立て部材を平面図に示したものである。
【図１０】図１０は、踵端部がバックシームと一緒に縫われた内層の側面図である。
【図１１】図１１は、図１０と同様の図であるが、後部補強材が追加され、ソールを取り付けるために内層の余分な部分を内側に折り返したものである。
【図１２】図１２は、図１１と同様の図であるが、ヒンジにおいて第１の角度程度に曲げられた組み立て部材を示す。
【図１３】図１３は、図１２と同様の図であるが、ヒンジにおいて第２の、より大きい角度程度に曲げられた組み立て部材を示す。
【図１】
2006122718.tif 000003
【図２】
2006122718.tif 000004
【図３】
2006122718.tif 000005
【図４】
2006122718.tif 000006
【図５】
2006122718.tif 000007
【図６】
2006122718.tif 000008
【図７】
2006122718.tif 000009
【図８】
2006122718.tif 000010
【図９】
2006122718.tif 000011
【図１０】
2006122718.tif 000012
【図１１】
2006122718.tif 000013
【図１２】
2006122718.tif 000014
【図１３】
2006122718.tif 000015
【手続補正書】
【提出日】平成18年3月23日(2006.3.23)
【手続補正１】
【補正対象書類名】特許請求の範囲
【補正対象項目名】全文
【補正方法】変更
【補正の内容】
【特許請求の範囲】
【請求項１】
伸縮性材料から一体に形成された内層を備え、
前記内層が、可撓性を有するトップラインと、前記材料を支えるための踵補強材およびつま先補強材を備え、
前記踵補強材およびつま先補強材が、組み立て部材の踵部とつま先部との間の相対角変動を可能とするために前記材料のヒンジ部により離間され、
前記材料が前記相対角変動に適合するよう伸縮することを特徴とする、靴用の組み立て部材。
【請求項２】
靴の基部に組み込まれ、踵に応じて複数の構造を取り得る可撓性部材と、
踵と、
前記可撓性部材に構造的に組み込まれ、前記可撓性部材により足を支える構造を形づくると共に、踵を可撓性部材に接続するための支持部材とを備え、
前記支持部材が長く、前記可撓性部材に組み込まれたときに前記可撓性部材の長さ方向に沿って延在する、請求項１に記載の組み立て部材。
【請求項３】
前記可撓性部材が、前記の支持部材を構造的に組み込むために前記支持部材を受け入れる細長い通路を含む、請求項２に記載の組み立て部材。
【請求項４】
前記細長い通路が、前記支持部材の長さ方向と平行な方向に延在する、請求項３に記載の組み立て部材。
【請求項５】
支持部材が細長い剛体部材を有する、請求項３または４に記載の組み立て部材。
【請求項６】
靴の基部に組み込まれ、互いに高さが異なる複数種類の踵に応じて複数の構造を取り得る可撓性部材と、
踵と、
前記可撓性部材に構造的に組み込まれ、前記可撓性部材により足を支える構造を形づくると共に、踵を可撓性部材に接続するための支持部材とを備え、
前記支持部材が長く、前記可撓性部材に組み込まれたときに前記可撓性部材の長さ方向に沿って延在し、
前記可撓性部材が、前記支持部材を受け入れる細長い通路を備え、
前記細長い通路が、可撓性ヒンジにより連結され、間隔をあけて配置された複数の孔から構成されたことを特徴とする、靴の組み立て部材。
【請求項７】
各孔が各支持片に形成され、
前記支持片は、前記可撓性部材に加わる負荷を支えるために、前記可撓性部材の長さ方向の両側にそれぞれ突き出した２つの側方延長部を有する、請求項６に記載の組み立て部材。
【請求項８】
可撓性部材が、プラスチック材料から形成された、請求項１〜７のいずれか一項に記載の組み立て部材。
【請求項９】
可撓性部材が、踵を可撓性部材に接続するためのとめ具を備えた、請求項１〜８のいずれか一項に記載の組み立て部材。
【請求項１０】
前記とめ具が、踵を異なる形の踵に交換できるよう取り外し可能である、請求項９に記載の組み立て部材。
【請求項１１】
前記可撓性部材が位置決め部を備えると共に、踵が位置決め部を備え、
踵の位置決め部を、踵を可撓性部材に対して位置合わせするために、可撓性部材の位置決め部に組み込むことにより、踵が可撓性部材に構造的に組み込まれ、
踵を可撓性部材に接続するために、踵の位置決め部と可撓性部材の位置決め部とがクリップにより結合された、請求項９または１０に記載の組み立て部材。
【請求項１２】
前記位置決め部の各々が弓状表面を有し、
前記弓状表面同士が、踵を可撓性部材に対して位置合わせするために結合された、請求項１１に記載の組み立て部材。
【請求項１３】
踵が、前記支持部材を内部に有する中空シェルを備えた、請求項２〜１２のいずれか一項に記載の組み立て部材。
【請求項１４】
前記支持部材が、前記可撓性部材と結合する１つのリムと、前記踵の高さ方向にほぼ平行に延設された他のリムとにより概ねＬ字型に形成された、請求項１３に記載の組み立て部材。
【請求項１５】
前記支持部材が金属からなる、請求項１３または１４に記載の組み立て部材。
【請求項１６】
前記可撓性部材と結合するリムの断面形状がＶ字型である、請求項１４に記載の組み立て部材。
【請求項１７】
前記可撓性部材が、前記の支持部材を構造的に組み込むために前記支持部材を受け入れる細長い通路を有し、
前記通路は、可撓性ヒンジにより連結され、間隔をあけて配置された複数の孔から構成され、
前記可撓性部材と結合するリムの断面形状がＶ字型である、請求項１６に記載の組み立て部材。
【請求項１８】
前記可撓性部材が、踵が可撓性部材に接続された後に足の周りの輪郭に沿うことが可能な材料を含む、請求項２〜１７のいずれか一項に記載の組み立て部材。
【請求項１９】
前記材料が編地材料である、請求項１８に記載の組み立て部材。
【請求項２０】
前記材料が熱可塑性材料である、請求項１８または１９に記載の組み立て部材。
【請求項２１】
前記材料が着用者の足の周りの輪郭に沿うことが可能な、請求項１９または２０に記載の組み立て部材。
【請求項２２】
前記可撓性部材が、前記可撓性部材の長さ方向に沿って延在する細長いスロットを有し、
前記支持部材が、足を支持するために前記スロットに沿って延在し、前記可撓性部材により足を支持する構造を形づくるために前記可撓性部材における前記スロットの周辺部を支持する、請求項２に記載の組み立て部材。
【請求項２３】
前記可撓性部材が、前記スロットよりも踵に近くかつ前記スロットに隣接する開口を有し、
前記支持部材の一部が、足を支持するために前記開口をうめる、請求項２２に記載の組み立て部材。
【請求項２４】
前記支持部材が、周辺溝を有する細長い舌状部を備え、
前記舌状部が、前記スロットに沿って延在し、
前記可撓性部材における前記スロット周辺の部分が前記溝内に位置する、請求項２２または２３に記載の組み立て部材。
【請求項２５】
前記伸縮性材料が編地材料である、請求項１〜２４のいずれか一項に記載の組み立て部材。
【請求項２６】
前記編地材料が熱によりモールド可能である、請求項２５に記載の組み立て部材。
【請求項２７】
バックストラップを備え、
前記バックストラップの上端部が、前記バックストラップの下端部に対して当該組み立て部材の長さ方向に平行な方向に曲げ可能である、請求項１〜２６のいずれか一項に記載の組み立て部材。
【請求項２８】
前記バックストラップが、当該バックストラップの上端部から延在する側方エッジを有し、
前記材料が、前記バックストラップの上端部が当該組み立て部材の外側方向へ曲がったときに当該組み立て部材の後部曲線外形を変化させるべく前記材料が伸縮するように、前記側方エッジに沿って前記バックストラップに接続された、請求項２７に記載の組み立て部材。
【請求項２９】
当該組み立て部材の踵端部にカウンタ覆いを備えた、請求項１〜２８のいずれか一項に記載の組み立て部材。
【請求項３０】
踵補強材が、前記下端部から延在し前記上端部まで達するバックストラップの一部を形成し、
前記カウンタ覆いが、前記踵補強材を覆って前記上端部まで延在し、
前記踵補強材およびカウンタ覆いが前記バックストラップを形成する、請求項２９に記載の組み立て部材。
【請求項３１】
前記カウンタ覆いが皮革からなる、請求項２９または３０に記載の組み立て部材。
【請求項３２】
概ねＵ字型の後部補強材として一つの踵補強材が設けられ、
前記後部補強材が、前記バックストラップの一部と二つの側方支持部を形成する、請求項３１に記載の組み立て部材。
【請求項３３】
前記つま先補強材を覆うつま革覆いを備えた、請求項１〜３２のいずれか一項に記載の組み立て部材。
【請求項３４】
単一のつま先補強材がトゥ−パフにより設けられた、請求項１〜３３のいずれか一項に記載の組み立て部材。
【請求項３５】
請求項１〜３４のいずれか一項に記載の組み立て部材を備えた靴。
【請求項３６】
請求項２〜３４のいずれか一項に記載の組み立て部材を備え、
前記可撓性部材がソールに接続されたことを特徴とする靴。
【請求項３７】
請求項２〜３４のいずれか一項に記載の組み立て部材を備え、
前記可撓性部材がインソールに接続されたことを特徴とする靴。
【請求項３８】
請求項２〜３４のいずれか一項に記載の組み立て部材を備え、
前記可撓性部材の下面を覆うソールを備えたことを特徴とする靴。
【請求項３９】
基部と踵とを有する靴であって、
前記基部が、相対的に可撓性のある部分と、前記可撓性のある部分を、足を支える構造に形づくる支持部材とを備え、
前記支持部材は、踵を前記基部に接続するように踵に接続され、
前記踵および前記支持部材が、前記の可撓性のある部分から取り外し可能である靴。
【請求項４０】
可撓性のある基部を作成し、
支持部材に接続された踵を作成し、
前記支持部材を前記可撓性のある基部に結合することにより、前記支持部材が、前記可撓性のある基部を、足を支える構造に形づくる、靴の製造方法。